(57)【特許請求の範囲】
【請求項１】
遮断弁（２）のプランジャ（３）の延長方向に沿って復帰軸（５）を往復動可能に設けると共に、復帰軸（５）の末端部に有する筒状のシール体（８）を、遮断弁（２）の弁座（１０）内に備え、閉じた遮断弁（２）を開くため復帰軸（５）を往動することによって、遮断弁（２）の弁体（２０）に密接したシール体（８）が弁座（１０）内を摺動して、弁体（２０）を弁座（１０）から離しつつ、弁体（２０）と弁座（１０）との隙間をシール体（８）がシールするガスメーターの復帰機構において、
シール体（８）を復帰軸（５）の末端部で前進・後退可能に設けると共に、シール体（８）を補助バネ（９）の弾性力で弁体側に押し付けて前進した状態で保持し、復帰軸（５）を往動することによって、弁体（２０）に密接した状態でシール体（８）が後退してプランジャ（３）に復帰軸（５）が突き合わさることを特徴とするガスメーターの復帰機構。
【発明の詳細な説明】
【０００１】
【発明の属する技術分野】
ガスの使用状態が異常な場合にはガスの流路を遮断弁によって自動的に閉鎖するが、本発明は、その遮断弁を再び開いてガスの使用を可能とするガスメーターの復帰機構に関する。
【０００２】
【従来の技術】
従来のガスメーターの復帰機構としては図８に示すように、復帰ボタン９１を押すと復帰軸９２が遮断弁のプランジャ９３を押し込む機構が存在する。この機構は、復帰ボタンを押し込めば復帰ボタンが元の位置に戻らなくても、弁座９４と弁体９５の間に隙間ができ、その隙間から弁座内をガスが通過する。従って、復帰ボタンを押し込んだ状態で固定すると、遮断弁の自動的な閉鎖動作が阻止され、ガスを異常な状態で使用し続けることができた。
【０００３】
そこで、異常な状態でのガスの使用をできなくするために、図７に示すように、復帰軸９２の端部に筒状のシール体９６を固定したものが開発された。これは、復帰軸を押し込むと、シール体が遮断弁のプランジャではなく弁体を押し込んで、弁体を弁座から離すものであった。
【０００４】
このようにすると、復帰軸が押し込まれている状態では弁座と弁体との隙間がシール体で密閉されることからガスが供給されず、復帰軸が元の位置に戻った場合にのみ、弁座と弁体の隙間からシール体の内部を通って、ガスが供給されるようになる。
【０００５】
ところで遮断弁は、弁バネ９７の弾性力に逆らってプランジャを一定距離だけ押し込むと、縮んだ弁バネの復元力よりもプランジャを引き付ける磁力が勝って、弁体の開いた状態が保たれるものである。また、弁体の弁ゴム９８はプランジャの先部に固定してあるが、弁バネの弾性力で弁ゴムを弁座に密着させるために、弁体の弁板９９はプランジャの先部に単に通してあるだけで固定してない。従って、上述した従来の機構では、シール体が弁体を押し込むと、弁ゴムが多少なりとも変形して弁体を後退させ弁バネを縮めてから、プランジャが押し込まれることになる。この機構だと、プランジャを復帰軸で直に押し込む機構よりも、弁バネは縮むことになり、復帰ボタンの押し込み具合によっては、弁バネの復元力がプランジャを引き付ける磁力よりも勝って、復帰ボタンから指を離すと、遮断弁が再び閉じることもあった。
【０００６】
【発明が解決しようとする課題】
本発明は上記実情を考慮して創作されたものであり、その目的は、復帰軸を指等で押し込んだ場合にはガスの異常な状態での使用が不可能でありながらも、指を離せば、閉じた遮断弁が確実に開くガスメーターの復帰機構を提供することである。
【０００７】
【課題を解決するための手段】
本発明は、遮断弁のプランジャの延長方向に沿って復帰軸を往復動可能に設けると共に、復帰軸の末端部に有する筒状のシール体を、遮断弁の弁座内に備え、閉じた遮断弁を開くため復帰軸を往動することによって、遮断弁の弁体に密接したシール体が弁座内を摺動して、弁体を弁座から離しつつ、弁体と弁座との隙間をシール体がシールするガスメーターの復帰機構において、シール体を復帰軸の末端部で前進・後退可能に設けると共に、シール体を補助バネの弾性力で弁体側に押し付けて前進した状態で保持し、復帰軸を往動することによって、弁体に密接した状態でシール体が後退してプランジャに復帰軸が突き合わさることを特徴とする。
【０００８】
【発明の実施の形態】
本発明のガスメーターの復帰機構は図１（イ）（ロ）及び図６に示すように、ガスメーター本体１には、遮断弁２のプランジャ３の延長方向に抜穴４が開けてあり、抜穴４に通した復帰軸５を、復帰バネ６の弾性力で遮断弁２から離れる方向に押し付けて保持し、復帰軸５の先端部には復帰ボタン７を有し、復帰ボタン７を手動で押し込んで復帰軸５を往動すると共に、復帰ボタン７から指を離して復帰バネ６の弾性力で復動させる。また、復帰軸５の末端部には筒状のシール体８を、僅かな距離だけ前進・後退可能に設け、そのシール体８を補助バネ９の弾性力によって遮断弁側に押し付けた前進状態で保持し、復帰軸５の往復動に伴って遮断弁２の弁座１０の内面に沿ってシール体８を摺動させる。
【０００９】
シール体８は、弁座１０の内面に接する筒部１１と、復帰軸５の末端部を直に囲む筒状のスライド部１２と、筒部１１とスライド部１２を繋ぐ放射片状の連結部１３とを備え、スライド部１２の内側には、復帰軸５の溝１４に挿入する凸部１５を有し、凸部１５の幅を溝幅より狭く形成して、僅かな距離だけ前進・後退可能に設けてある。また、スライド部１２の後部と復帰軸５との間に空洞１６を備え、空洞１６に収容した補助バネ９の後端をワッシャ１７で保持してある。
【００１０】
遮断弁２は、復帰軸５の往動によって押し込まれたプランジャ３をソレノイド１８内に磁力で保持し、ソレノイド１８に通電することによってプランジャ３を復帰軸側に突き出し、弁バネ１９の弾性力で弁体２０を弁座１０に密接させる。なお、弁体２０は、弁座１０に密接する弁ゴム２１と、弁バネ１９に接する弁板２２とから構成され、弁ゴム２１はプランジャ３に通し且つ前後に移動不能に固定してあるが、弁板２２はプランジャ３に単に通しただけなので前後に移動可能であり、弁バネ１９の弾性力で弁ゴム２１に押し付けられている。
【００１１】
上述した本発明の作動原理を、閉じた遮断弁２を開く手順を追って以下に説明する。図２は、弁座１０に弁体２０が密接して遮断弁２が閉じている状態を示しており、弁体２０とシール体８の間並びに、プランジャ３と復帰軸５の間にはギャップ２３，２４があり、プランジャ３と復帰軸５の間のギャップ２４の方が間隔が広い。また、シール体８は、弁体側に補助バネ９の弾性力で押し付けられて前進した状態に保持されていることが分かる。次に、復帰ボタン７を押し込むと、第一段階では図３に示すように、復帰軸５及びシール体８が僅かに前進して弁体２０にシール体８が密接し、プランジャ３と復帰軸５の間のギャップ２４が狭まる。復帰ボタン７をさらに押し込んだ第二段階では、図１に示すように、シール体８が補助バネ９の弾性力に逆らって後退し、プランジャ３の先端に復帰軸５の末端が突き合わさる。
【００１２】
復帰ボタン７をさらに押し込んだ第三段階では、図４に示すように、弁体２０にシール体８が密接した状態でプランジャ３が復帰軸５で押し込まれる。この時には、弁体２０と弁座１０とが離れているが、弁体２０と弁座２１の間をシール体８がシールするので、ガスは供給されない。また、図４に示す状態にまで、復帰ボタン７を押すと、プランジャ３がソレノイド１８に保持されたことがカチッという吸着音で分かる。吸着音を聞いた後に復帰ボタン７から指を離すと、図５に示すように、復帰バネ６の弾性力で復帰軸５が復動すると共に、シール体８が弁体２０から離れて遮断弁２が開き、弁体２０と弁座１０との隙間からガスがシール体８の内部を通り、放射片状の連結部１３の空隙を抜けて、ガスが使用可能となる。
【００１３】
【発明の効果】
本発明のガスメーターの復帰機構は、復帰軸を押し込むと、シール体が後退して弁体と密着状態を保ちながらプランジャに復帰軸が突き合わさり、その後に弁体が弁座から離れるので、復帰軸を押し込む力が弁バネに伝わることなく、そのままプランジャに伝わる。従って、遮断弁を開く為に必要な長さだけ弁バネを縮めることができ、その結果、遮断弁を確実に開くことができる。
【図面の簡単な説明】
【図１】（イ）（ロ）本発明のガスメーターの復帰機構での復帰操作の第二段階を示し、（イ）図は（ロ）図の要部拡大断面図、（ロ）図は図６のＡ−Ａ線断面図である。
【図２】復帰操作前の遮断弁が閉じた状態を示す要部拡大断面図である。
【図３】復帰操作の第一段階を示す要部拡大断面図である。
【図４】（イ）（ロ）復帰操作の第三段階を示し、（イ）図は（ロ）図の要部拡大断面図、（ロ）図は図６のＡ−Ａ線断面図である。
【図５】復帰操作終了後の遮断弁が開いた状態を示す要部拡大断面図である。
【図６】ガスメーターの全体像を示す正面図である。
【図７】従来のガスメーターの復帰機構を示す要部拡大断面図である。
【図８】従来のガスメーターの復帰機構を示す概略断面図である。
【符号の説明】
２  遮断弁
３  プランジャ
５  復帰軸
８  シール体
９  補助バネ
１０  弁座
２０  弁体
【図１】
0004638997.tif 000002
【図２】
0004638997.tif 000003
【図３】
0004638997.tif 000004
【図４】
0004638997.tif 000005
【図５】
0004638997.tif 000006
【図６】
0004638997.tif 000007
【図７】
0004638997.tif 000008
【図８】
0004638997.tif 000009